(57)【特許請求の範囲】
【請求項１】
鉛直方向の縦板部(17)を備えたスライド手段(8)と、前記スライド手段(8)を引出し自在に格納する窓孔(16)を備えた格納手段(9)とから成り、前記スライド手段(8)を格納位置(S)と引出し位置(E)の間で移動自在となるように構成され、
前記スライド手段(8)は、前記縦板部(17)に沿う起立姿勢と縦板部(17)に交差する展開姿勢との間で回動自在に枢着された物置部材(23)を備え、
前記物置部材(23)は、底面に従動部(33)を形成すると共に、自由な状態で起立姿勢から展開姿勢に回動するように付勢されており、
前記スライド手段(8)に支軸(41)を介して揺動自在に設けた作動アーム(39)と、前記格納手段(9)に設けた固定の駆動レール(40)とにより、スライド手段(8)の引出し方向及び格納方向の移動に連動して駆動レール(40)により作動アーム(39)を揺動させる制御機構(38)を構成し、
前記作動アーム(39)は、該作動アーム(39)の揺動により上下動する作動片(42)を有し、作動片(42)の上動により展開姿勢とされた物置部材(23)の従動部(33)を押上げることにより該物置部材(23)を起立姿勢まで回動させ、作動片(42)の下動により起立姿勢とされた物置部材(23)の従動部(33)から該作動片(42)を離反させることにより該物置部材(23)を展開姿勢まで回動させるように構成されており、
前記駆動レール(40)は、スライド手段(8)の引出し位置(E)と格納位置(S)の間の移動範囲に関して、スライド手段(8)が引出し位置(E)から移動して前記物置部材(23)を格納手段(9)に進入させる前の所定中間位置(M)まで移動するとき作動片(42)の上動を完了させ、スライド手段(8)が所定中間位置(M)から移動して引出し位置(E)まで移動するときに作動片(42)の下動を完了させるように、引出し位置(E)と所定中間位置(M)の間の範囲で作動アーム(39)を揺動させる駆動部(50)を備えており、
前記スライド手段(8)は、引出し位置(E)まで移動された状態で、前記格納手段(9)の窓孔(16)を覆う縦壁(21)を設け、該縦壁(21)の背後で格納手段(9)の内部に位置する縦板部(17)に前記作動アーム(39)の支軸(41)を配置すると共に、該縦壁(21)を越えて作動アーム(39)を延長することにより前記作動片(42)を物置部材(23)の従動部(33)に臨ませて成ることを特徴とする格納式物置装置。
【請求項２】
前記スライド手段(8)の縦板部(17)に突設したブラケット(28)に前記物置部材(23)の枢結片(27)を枢着することにより、該物置部材(23)を起立姿勢と展開姿勢の間で回動させる構成とされており、
前記枢結片(27)に隣接する位置で物置部材(23)から従動補助片(32)を延設し、前記従動部(33)を物置部材(23)の底面から従動補助片(32)の底面に延設して成ることを特徴とする請求項１に記載の格納式物置装置。
【請求項３】
前記縦壁(21)は、作動アーム(39)を揺動自在に受入れる切欠部(46)を形成し、該切欠部(46)の上端により作動アーム(39)の上動を規制するストッパを構成して成ることを特徴とする請求項１又は２に記載の格納式物置装置。
【発明の詳細な説明】
【技術分野】
【０００１】
本発明は、カップホルダーや物置棚のような物置部材を格納できるように構成した格納式物置装置に関する。
【背景技術】
【０００２】
従来、自動車のアームレストに装備される格納自在なカップホルダー装置が公知である。例えば、ケースにスライド手段を引出し自在に格納し、該スライド手段に円弧状のカップホルダーを拡縮方向に移動自在となるように設け、スライド手段をケースから引出したときカップホルダーが拡開方向に移動してカップ保持可能な状態を形成し、スライド手段をケースに押し込んだとき、カップホルダーが収縮方向に移動してケースの内部に格納されるように構成した装置が提案されている。
【０００３】
【特許文献１】特開２００６−９６１８２号公報
【特許文献２】特開２００６−８２７６９号公報
【発明の開示】
【発明が解決しようとする課題】
【０００４】
従来の格納自在なカップホルダー装置は、カップホルダーが引出し動作に連動して縦軸を枢軸として横方向に展開し又は折畳まれるように構成されている。従って、装置全体の寸法が幅広になることを避けられない。
【０００５】
ところで、例えば、パチンコホールの島には多数のパチンコ台が列設され、長時間にわたり顧客がパチンコの遊技を楽しんでいる。そこで、パチンコ台にカップホルダーを設け、顧客の便宜に供することが望ましい。しかしながら、一般的にパチンコ台は、比較的短期間で入れ替えが行われるため、パチンコ台にカップホルダーを取付けことは不経済である。
【０００６】
この点に関して、本発明者は、隣り合うパチンコ台の間に格納自在なカップホルダー装置を介装すれば、パチンコ台の入れ換えに関わらず再利用が可能であり、しかも、利用中は格納自在なため顧客のパチンコ遊技の邪魔にならないことを知得した。
【０００７】
ところが、隣り合うパチンコ台の間に許容されるスペースは、幅狭で上下方向に長く延びる細長いスペースに限られるので、上述のような幅広とされた自動車用のカップホルダー装置を利用することは不可能である。このため、従来技術の格納構造を根本的に改める必要がある。
【０００８】
本発明は、縦方向の細長いスペースに装着できるカップホルダー等の格納式物置手段を提供することを目的とする。
【課題を解決するための手段】
【００１０】
そこで、本発明が手段として構成したところは、鉛直方向の縦板部(17)を備えたスライド手段(8)と、前記スライド手段(8)を引出し自在に格納する窓孔(16)を備えた格納手段(9)とから成り、前記スライド手段(8)を格納位置(S)と引出し位置(E)の間で移動自在となるように構成され、前記スライド手段(8)は、前記縦板部(17)に沿う起立姿勢と縦板部(17)に交差する展開姿勢との間で回動自在に枢着された物置部材(23)を備え、前記物置部材(23)は、底面に従動部(33)を形成すると共に、自由な状態で起立姿勢から展開姿勢に回動するように付勢されており、前記スライド手段(8)に支軸(41)を介して揺動自在に設けた作動アーム(39)と、前記格納手段(9)に設けた固定の駆動レール(40)とにより、スライド手段(8)の引出し方向及び格納方向の移動に連動して駆動レール(40)により作動アーム(39)を揺動させる制御機構(38)を構成し、前記作動アーム(39)は、該作動アーム(39)の揺動により上下動する作動片(42)を有し、作動片(42)の上動により展開姿勢とされた物置部材(23)の従動部(33)を押上げることにより該物置部材(23)を起立姿勢まで回動させ、作動片(42)の下動により起立姿勢とされた物置部材(23)の従動部(33)から該作動片(42)を離反させることにより該物置部材(23)を展開姿勢まで回動させるように構成されており、前記駆動レール(40)は、スライド手段(8)の引出し位置(E)と格納位置(S)の間の移動範囲に関して、スライド手段(8)が引出し位置(E)から移動して前記物置部材(23)を格納手段(9)に進入させる前の所定中間位置(M)まで移動するとき作動片(42)の上動を完了させ、スライド手段(8)が所定中間位置(M)から移動して引出し位置(E)まで移動するときに作動片(42)の下動を完了させるように、引出し位置(E)と所定中間位置(M)の間の範囲で作動アーム(39)を揺動させる駆動部(50)を備えており、前記スライド手段(8)は、引出し位置(E)まで移動された状態で、前記格納手段(9)の窓孔(16)を覆う縦壁(21)を設け、該縦壁(21)の背後で格納手段(9)の内部に位置する縦板部(17)に前記作動アーム(39)の支軸(41)を配置すると共に、該縦壁(21)を越えて作動アーム(39)を延長することにより前記作動片(42)を物置部材(23)の従動部(33)に臨ませて成る点にある。
【００１１】
本発明の好ましい実施形態は、前記スライド手段(8)の縦板部(17)に突設したブラケット(28)に前記物置部材(23)の枢結片(27)を枢着することにより、該物置部材(23)を起立姿勢と展開姿勢の間で回動させる構成とされており、前記枢結片(27)に隣接する位置で物置部材(23)から従動補助片(32)を延設し、前記従動部(33)を物置部材(23)の底面から従動補助片(32)の底面に延設している。
【００１２】
また、前記縦壁(21)は、作動アーム(39)を揺動自在に受入れる切欠部(46)を形成し、該切欠部(46)の上端により作動アーム(39)の上動を規制するストッパを構成して
いる。
【発明の効果】
【００１３】
本発明によれば、物置部材２３を鉛直方向の縦板部１７に沿う起立姿勢と該縦板部１７に交差する展開姿勢との間で回動自在に枢着した構成であるから、装置本体１を全体的に幅が薄い縦長の形状に形成することができる。従って、隣り合うパチンコ台の間に許容されるような縦方向の細長いスペース４に装着できるという効果がある。
【００１４】
そして、スライド手段８と格納手段９の間に、スライド手段８を格納位置Ｓから引出し位置Ｅに移動したとき物置手段２３を展開姿勢となるように回動させ、スライド手段８を引出し位置Ｅから格納位置Ｓに移動したとき物置手段２３を起立姿勢となるように回動させる制御機構３８を設けた構成であるから、ユーザが単にスライド手段８を引出し方向に移動するだけで物置部材２３が自動的に展開姿勢とされ、反対に、単にスライド手段８を格納方向に移動するだけで物置部材２３が自動的に起立姿勢とされ格納手段９に格納され、極めて使い勝手が良く便利である。
【００１５】
しかも、本発明によれば、スライド手段８に設けた揺動自在な作動アーム３９と、格納手段９に設けた固定の駆動レール４０とにより制御機構３８を構成し、作動アーム３９の揺動により上下動する作動片４２により物置部材２３を上下方向に回動させる構成であるから、構造が簡単でありながら、スライド手段８の移動に連動して物置部材２３を起立姿勢と展開姿勢の間でスムースに回動できる構造となる。
【００１６】
そして、スライド手段８の引出し位置Ｅと所定中間位置Ｍに対応して駆動レール４０に駆動部５０を形成した構成であるから、スライド手段８を引出し位置Ｅから格納方向に移動したとき、物置部材２３が格納手段９に進入する前に、作動アーム３９の揺動による作動片４２の上動が完了して物置部材２３を起立姿勢に保持し、トラブルのない円滑な格納動作を可能とする。しかも、このような作用は、駆動レール４０の所定領域に駆動部５０を形成する簡単な構造で実現できる利点がある。
【００１７】
しかも、本発明によれば、物置部材２３が自由な状態で起立姿勢から展開姿勢に向けて回動するように付勢され、作動アーム３９の作動片４２により従動部３３を押し上げることにより、物置部材２３を展開姿勢から起立姿勢へと回動させる反面、作動片４２を従動部３３から離反させることにより、物置部材２３を前記付勢力で起立姿勢から展開姿勢へと回動させる構成であるから、作動片４２と従動部３３の間の機構をシンプルに形成することができ、トラブルがなく、安心して使用できる装置を提供することが可能になる。
この際、本発明によれば、スライド手段８を引出し位置Ｅまで移動し、物置部材２３を展開させた使用中において、作動アーム３９の支軸４１をユーザの手指等が触れないように縦壁２１により窓孔１６を覆われた格納手段９の内部に位置させることができる。
【００１８】
請求項２に記載の本発明によれば、物置部材２３の枢結片２７に隣接する位置から従動補助片３２を延設し、従動補助片３２の底面から物置部材２３の底面にわたり従動部３３を形成した構成であるから、作動アーム３９の作動片４２が展開姿勢とされた物置部材２３を押し上げる際に、該作動片４２が物置部材２３の枢結片２７の近傍で従動部３３から外れた位置に向けて上動するという所謂空振りを生じるおそれはなく、作動片４２を初動時に従動補助片３２の底面に確実に当接させ、引き続き作動片４２を物置部材２３の底面に沿って這い上がるように上動させることができるという効果がある。
更に、請求項３に記載の本発明によれば、引出し位置Ｅまで移動した使用中において、窓孔１６を縦壁２１により好適に覆うことができるだけでなく、該縦壁２１に形成した切欠部４６により作動アーム３９の上動を規制するストッパを構成できる利点がある。
【発明を実施するための最良の形態】
【００１９】
以下図面に基づいて本発明の好ましい実施形態を詳述する。
【００２０】
本発明の格納式物置装置１は、縦方向の細長いスペースに装着できるように構成されている点に特徴があり、例えば、図１に示すように、島２に列設される隣り合うパチンコ台やパチスロ台等の遊技台３、３の間に許容される縦方向の細長いスペース４に装着される。図例の場合、遊技台３、３の間に、貸与機（パチンコの場合は球貸機、パチスロの場合は疑似コイン貸機）５と格納式物置装置１が並設される。
【００２１】
格納式物置装置１は、装置本体６を支柱７に着脱自在に組付けられる構成とされ、後述するように支柱７を細長いスペース４に装着した状態で、装置本体６を該支柱７の正面側から嵌入することにより組付けられる。支柱７は、島２に対して遊技台３の装着空間を形成するための中柱を構成し、該支柱７の上下のフランジ７ａ、７ｂを島２の上梁及び下梁（図示せず）にビス等で固着され、上下梁を相互に支持する。この際、該支柱７の正面壁７ｃは、塗装等により表面を化粧仕上げされており、遊技台３の正面とほぼ面一に配置される正面壁７ｃにより、前記スペース４の正面側の開口を閉鎖する。尚、以下、「正面」「背面」「側面」の語句は、遊技台３の正面を基準とする意味で使用する。
【００２２】
図２ないし図４に示すように、装置本体６は、スライド手段８と格納手段９とから成り、スライド手段８を格納手段９に引出し自在に格納するように組み合わせられる。
【００２３】
（格納手段の基本的構成）
格納手段９は、側面を開口する矩形皿状に形成された薄形箱状のケーシング１０と、該ケーシング１０の背面側の側縁にヒンジ１１を介して連設された蓋板１２とから成り、ケーシング１０の正面側にフランジ板１３を設けており、図示実施形態の場合、合成樹脂により一体成形されている。
【００２４】
ケーシング１０の上下壁１０ａ、１０ｂの内側には複数の爪片１４（上壁の爪片は図示しないが、下壁の爪片と対称に配置される）が設けられ、これに対して、蓋板１２の内側面の上下縁近傍には舌片１５が設けられている。そこで、蓋板１２とケーシング１０を合掌させたとき、舌片１５が上下壁１０ａ、１０ｂと爪片１４の間に嵌合し、ケーシング１０の側面開口を蓋板１２により閉鎖する。前記フランジ板１３には、ケーシング１０の内部に連通する窓孔１６が開設されている。
【００２５】
（スライド手段の基本的構成）
スライド手段８は、前記窓孔１６を介して格納手段９に引出し自在に格納される鉛直方向の縦板部１７を備え、該縦板部１７の上縁に沿ってガイドリブ１８を設けると共に、下縁の近傍に沿って支持リブ１９を設け、更に、正面側の側縁に位置して閉止壁２０を設けると共に、背面側の側縁からやや正面側寄りに位置して鉛直方向に延びる縦壁２１を縦板部１７に設けており、図示実施形態の場合、合成樹脂により一体成形されている。
【００２６】
そこで、スライド手段８を格納手段９に格納したとき、図３に示すように、閉止壁２０がフランジ板１３とほぼ面一になるように位置して窓孔１６を閉じる。そして、スライド手段８を格納手段９から引出したとき、図４に示すように、縦壁２１がフランジ板１３に近接して窓孔１６の大部分を内側から覆う。従って、スライド手段８は、図３に示す格納位置と図４に示す引出し位置との間で進退移動自在であり、移動に際して、縦板部１７がケーシング１０の皿状の底壁１０ｃに重なり合って摺動すると共に、ガイドリブ１８がケーシング１０の上壁１０ａの内面を摺動し、縦板部１７の下縁がケーシング１０の下壁１０ｂの内面を摺動する。スライド手段８の引出しを助けるため、閉止壁２０には摘み片２２が設けられている。
【００２７】
（物置部材の構成）
スライド手段８の縦板部１７には、該縦板部１７に沿う起立姿勢と該縦板部１７に交差する展開姿勢との間で回動自在となるように枢着された物置部材２３が設けられている。図示実施形態の場合、物置部材２３は、下側に配置される受皿２４と上側に配置される保持リング２５から成るカップホルダーを構成している。
【００２８】
受皿２４は、図２に示すように、合成樹脂により一体成形された皿本体２６を構成し、全体をほぼ円形状に形成された皿本体２６から延設した枢結片２７、２７を、スライド手段８の縦板部１７の突設されたブラケット２８、２８に枢着することにより、起立姿勢と展開姿勢の間で回動自在とされる。図示実施形態の場合、皿本体２６は、枢結片２７、２７の間に延びる支持片２９を延設し、これに対して、スライド手段８の縦板部１７は、ブラケット２８、２８の下方で支持リブ１９の上に接支リブ３０を設けると共に、ブラケット２８、２８の間に位置して縦板部１７から受片３１を突設している。これにより、皿本体２６を起立姿勢から展開姿勢に向けて下向きに回動したとき、支持片２９の端面が接支リブ３０に当接すると共に、支持片２９が受片３１の下面に当接し、皿本体２６を展開姿勢にて保持するストッパ手段が構成されている。尚、皿本体２６を展開姿勢から起立姿勢に向けて上向きに回動するときは、支持片２９が接支リブ３０及び受片３１から離反するので、ストッパ手段が皿本体２６の上向き回動を妨げることはない。
【００２９】
受皿２４は、前記枢結片２７に隣接する位置で皿本体２６から従動補助片３２を延設し、受皿２４の底面と従動補助片３２の底面をほぼ面一に形成することにより、後述する制御機構の作動を受ける従動部３３を構成する。
【００３０】
保持リング２５は、線材をほぼ環状に折曲成形することにより形成され、線材の両端に枢軸を備えた枢結片３４、３４を、スライド手段８の縦板部１７の突設されたブラケット３５、３５に枢着することにより、起立姿勢と展開姿勢の間で回動自在とされる。図示実施形態の場合、前記枢結片３４の直下に位置してブラケット３５から延長された受台３６を設けている。これにより、保持リング２５を起立姿勢から展開姿勢に向けて下向きに回動したとき、枢結片３４が受台３６に載置され、保持リング２５を展開姿勢にて保持するストッパ手段が構成されている。尚、保持リング２５を展開姿勢から起立姿勢に向けて上向きに回動するときは、枢結片３４が受台３６から離反するので、ストッパ手段が保持リング２５の上向き回動を妨げることはない。
【００３１】
物置部材２３を構成する受皿２４及び保持リング２５は、何れも、自由な状態では起立姿勢から展開姿勢に回動するように付勢されている。図示実施形態の場合、付勢手段は、受皿２４及び保持リング２５の自重を利用している。即ち、受皿２４及び保持リング２５は、起立姿勢の状態で、それぞれ枢結片２７、３４の枢軸よりも上方の部位が外向き（格納手段９の蓋板１２に向かう方向）にやや傾くように構成されており、従って、後述する制御機構の作動アームにより保持しない限り、受皿２４及び保持リング２５がそれぞれの自重により展開姿勢に向けて回動するように付勢されている。尚、付勢手段は、受皿２４及び保持リング２５の自重を利用する他、それぞれ枢結片２７、３４の枢軸に鶴巻バネ等のスプリングを設けることにより構成しても良い。
【００３２】
受皿２４と保持リング２５の上下間隔は、両者を起立姿勢とした状態で、受皿２４が保持リング２５に重なり合うように構成されている。図例の場合、受皿２４のほぼ中心領域が保持リング２５の枢結片３４に対面するように配置され、受皿２４のほぼ中央部に切欠孔３７が開設されている。これにより、受皿２４を起立姿勢としたとき、切欠孔３７に向けて保持リング２５のブラケット３５及び受台３６が臨み、相互の干渉を防止する。
【００３３】
（制御機構の構成）
スライド手段８と格納手段９との間には、スライド手段８を格納位置から引出し位置に移動したとき物置部材２３（具体的には受皿２４）を展開姿勢となるように回動させると共に、反対に、スライド手段８を引出し位置から格納位置に移動したとき物置部材２３（具体的には受皿２４）を起立姿勢となるように回動させる制御機構３８が設けられている。
【００３４】
制御機構３８は、スライド手段８に設けられる揺動自在な作動アーム３９と、格納手段９に設けられる固定の駆動レール４０とから成り、スライド手段８の引出し方向及び格納方向の移動に連動して前記駆動レール４０により前記作動アーム３９を揺動させるように構成されている。
【００３５】
作動アーム３９は、スライド手段８の縦壁２１よりもやや背面側に位置して縦板部１７に設けられた支軸４１に対して該作動アーム３９の基端部を回動自在に軸支され、縦壁２１を横切るように作動アーム３９を延長することにより先端部に前記受皿２４の従動部３３に臨む作動片４２を形成し、該作動アーム３９の中間部の外側面（格納手段９の蓋板１２に向かう側面）に駆動突起４３を突設している。従って、作動アーム３９を回動したとき、作動片４２が受皿２４の従動部３３に沿って上下動する。
【００３６】
図示実施形態の場合、作動アーム３９の内側面（縦板部１７に向かう側面）には一対の脚片４４、４５が設けられ、該作動アーム３９を支軸４１に軸支した状態で、脚片４４、４５が縦壁２１の両側に位置して縦板部１７に摺動自在に接支する。縦壁２１は、作動アーム３９を揺動自在に受入れる切欠部４６を形成しており、該切欠部４６の上端により作動アーム３９の上動を規制するストッパを構成する。
【００３７】
駆動レール４０は、格納手段９の蓋板１２に設けられ、スライド手段８が引出し位置と格納位置の間で移動する範囲にわたり延び、作動アーム３９の駆動突起４３を制御する。図示実施形態の場合、駆動レール４０は、図３に示すように、蓋板１２に形成されたスリット４７と、該蓋板１２の内側面に突出すると共にスリット４７を縁取るリブ４８により形成されているが、作動アーム３９の駆動突起４３を制御可能に摺動させるものであれば良く、従って、スリット１７だけ又はリブ４８だけで駆動レール４０を構成しても良く、更には、厳格な意味でのレール状のものでなくても良い。
【００３８】
スライド手段８を格納手段９に格納し組付けた状態で、作動アーム３９の駆動突起４３が駆動レール４０に摺動自在に嵌合される。スライド手段８の格納位置と引出し位置の間の移動範囲に関して、格納位置Ｓ、引出し位置Ｅ、スライド手段８を引出し位置Ｅから移動して物置部材２３を格納手段９の窓孔１６に進入させる前の所定中間位置Ｍとしたとき、駆動レール４０は、格納位置Ｓと所定中間位置Ｍの間を移動する駆動突起４３を嵌合状態で摺動させる保持部４９と、所定中間位置Ｍと引出し位置Ｅの間を移動する駆動突起４３を嵌合状態で摺動させる駆動部５０を形成し、保持部４９と駆動部５０を連続的に連通させると共に、保持部４９をほぼ水平に配置し、駆動部５０を保持部４９から正面側に向けて下降するように傾斜配置している。
【００３９】
（表示部の構成）
図４に示すように、格納手段９のフランジ板１３の上端部正面には情報表示部５１が設けられており、例えば「カップホルダー」の文字等の物品名が表示される。これにより、図１に示すように、支柱７に組み込まれた装置本体６が格納式の物置装置であることをユーザに認識させることができる。
【００４０】
また、図示実施形態の場合、スライド手段８を引出すことにより物置部材２３を展開姿勢に回動させたとき縦板部１７に比較的大きな面積の露呈表面が形成されるので、該表面に第２の情報表示部５２を設けている。第２の情報表示部５２には、種々の宣伝広告等を表示することができ、カップホルダーの場合は飲料会社の宣伝広告を表示すると好適であり、その他、パチンコホールの宣伝広告を表示することもできる。
【００４１】
（装置の作用）
上記構成に基づく装置本体６の作用を図５及び図６に基づいて説明する。上述のように、格納手段９に格納されたスライド手段８は、格納位置と引出し位置の間で移動自在であり、作動アーム３９の駆動突起４３を駆動レール４０に嵌合した状態で該駆動レール４０に沿って摺動するので、駆動突起４３を基準として、上述した格納位置Ｓ、所定中間位置Ｍ、引出し位置Ｅを鎖線で示している。
【００４２】
図５は、スライド手段８が格納位置Ｓに移動した状態を示しており、スライド手段８の縦板部１７の背面側の側縁が格納手段９の背面側の側壁に当接し、窓孔１６を閉鎖する閉止壁２０の正面側の表面がフランジ板１３の正面側の表面とほぼ面一に配置されている。この状態で、側物置部材２３を構成する受皿２４及び保持リング２５は、何れも起立姿勢とされ、保持リング２５のほぼ下半部分に対して受皿２４のほぼ上半部分が重なり合わされている。作動アーム３９の駆動突起４３は、駆動レール４０の保持部４９に嵌合され、この状態で作動片４２を受皿２４の従動部３３の最上端に位置させ、該従動部３３を押さえることにより、受皿２４を起立姿勢に保持している。尚、保持リング２５は、受皿２４に押さえられた状態で起立姿勢を保持している。
【００４３】
この状態から摘み片２２を摘むことによりスライド手段８を引き出すと、駆動突起４３が移動して所定中間位置Ｍに達するまでは、駆動レール４０の水平に延びる保持部４９を摺動するので、作動アーム３９は回動しない。即ち、所定中間位置Ｍ、つまり、物置部材２３が窓孔１６から外部に出るまで、物置部材２３は作動アーム３９の作動片４２により起立状態を保持している。
【００４４】
そこで、スライド手段８が所定中間位置Ｍから引出し位置Ｅまで移動するとき、作動アーム３９の駆動突起４３が駆動レール４０の駆動部５０に沿って下向き傾斜方向に摺動するので、これにより作動アーム３９が回動し、作動片４２を下動する。上述のように物置部材２３は、起立姿勢から展開姿勢へと下方に向けて回動するように付勢されているので、作動片４２が下動しつつ受皿２４の従動部３３から離反するに従い、受皿２４が展開姿勢に向けて回動し、同時に、受皿２４が保持リング２５から離反するに従い、保持リング２５も展開姿勢に向けて回動する。
【００４５】
スライド手段８が引出し位置Ｅまで移動すると、図６に示すように、駆動突起４３が駆動レール４０の駆動部５０の最下端に達し、作動アーム３９の作動片４２が下動を終了する。この状態で、受皿２４及び保持リング２５は、上述のようなストッパ手段により展開姿勢を保持し、作動片４２は受皿２４の従動部３３から離れた下方位置で停止している。従って、通常のカップホルダーと同様に、飲料カップや飲料缶等の容器５３を物置部材２３に載置し保持させることができる。
【００４６】
上記の動作と反対に、物置部材２３から容器５３を除去し、スライド手段８を引出し位置Ｅから格納位置Ｓまで移動して格納するとき、作動アーム３９の駆動突起４３が駆動レール４０の駆動部５０に沿って上向き傾斜方向に摺動するので、これにより作動アーム３９が回動し、作動片４２を上動する。作動片４２は、受皿２４の従動補助片３２の底面に当接した後、受皿２４の底面に沿って這い上がるので、作動片４２により従動部３３を押上げられることにより受皿２４が起立姿勢に向けて回動する。受皿２４が展開姿勢とされた保持リング２５に下方から当接すると、受皿２４に同行して保持リング２５も起立姿勢に向けて回動する。
【００４７】
スライド手段８と共に移動する駆動突起４３が引出し位置Ｅから所定中間位置Ｍに達するまで、物置部材２３が窓孔１６に進入しないように構成されている。つまり、駆動突起４３が所定中間位置Ｍに達したとき、駆動レール４０の駆動部５０により作動アーム３９の回動が終了し、作動片４２が最上位置まで上動することにより受皿２４及び保持リング２５を完全な起立姿勢に保持している。従って、所定中間位置Ｍから格納位置Ｓに向けてスライド手段８を移動することができる。この際、駆動突起４３は駆動レール４０の保持部４９に沿って水平方向に摺動するので、物置部材２３は作動片４２により起立姿勢を保持されている。
【００４８】
（支柱の構成）
図７は、装置本体６と支柱７の関係を示している。格納手段９のフランジ板１３の背面に近傍して、ケーシング１０の両側に係止爪５４、５５を設けている。図７（Ａ）に示すように、一方の係止爪５４は、ケーシング１０の底壁１０ｃからフランジ板１３との間に隙間５６を形成した状態で突設され、上下方向に間隔をあけて複数列設されている。他方の係止爪５５は、図７（Ｂ）に示すように、ケーシング１０の反対側で、フランジ板１３との間に隙間５７を形成した状態で突設され、上下方向に間隔をあけて複数列設されている。この際、図示のように、左右の係止爪５４と係止爪５５は、水平方向に関して相互に上下に位置をずらせて設けられている。尚、ケーシング１０を施蓋する蓋板１２の側縁には、前記他方の係止爪５４と干渉しないように切欠５８が形成されている。
【００４９】
フランジ板１３は、ケーシング１０の上方に延びる上片１３ａと下方に延びる下片１３ｂを有している。上片１３ａの正面側表面には上述の情報表示部５１が設けられている。下片１３ｂには、横向きのスリット５９が開設され、該下片１３ｂの背面側表面に位置して、該スリット５９の上方から断面Ｌ形の嵌着爪６０が突設され、該嵌着爪６０は下片１３ｂとの間に隙間を形成した状態で前記スリット５９を覆うように形成され、該嵌着爪６０の下端縁にスリット５９に臨む突部６０ａを設けている。
【００５０】
これに対して、支柱７は、断面溝形に形成されると共に、正面壁７ｃに挿入窓６１を開設している。この挿入窓６１は、蓋板１２により施蓋されたケーシング１０の幅とほぼ同幅かやや広幅の幅寸法で、前記ケーシング１０の上下長さよりも前記係止爪５４、５５の上下長さに相当する寸法だけ長くした上下寸法に形成されている。そこで、挿入窓孔６１の両側縁により係止縁６２、６３を形成し、該係止縁６２、６３に前記係止爪５４、５５を通過可能とする切欠状の凹部６４、６５を形成している。更に、挿入窓６１の下方には、横向きのスリット６６を形成し、挿入窓６１の下端とスリット６６の間に嵌着部６７を形成している。
【００５１】
上記の構成によれば、格納手段９は、蓋板１２により施蓋されたケーシング１０を背面側の端部から挿入窓６１に対して図示矢印Ｆに示すように挿入することができる。フランジ板１３の背面側表面が正面壁７ｃに当接するまで挿入すると、前記係止爪５４、５５がそれぞれ凹部６４、６５を通過して挿入され、嵌着爪６０が挿入窓６１の下端を通過して挿入される。そこで、この挿入状態から図示矢印Ｄで示すように格納手段９を下方に移動すると、係止爪５４、５５が係止縁６２、６３の内面（背面）に係止すると共に、嵌着片６０が嵌着部６７の内面（背面）に嵌着され、該嵌着片６０の突部６０ａをスリット６６に係止する。これにより、格納手段９は、支柱７から抜き出し不能な組付け状態とされる。尚、突部６０ａがスリット６６に係止しているので、ケーシング１０の上動が阻止されている。
【００５２】
格納手段９を支柱７から取り出す必要があるときは、スリット５９からドライバー工具等の治具を挿入し嵌着爪６０を押動することにより突部６０ａとスリット６６の係止を解き、ケーシング１０を上動すれば、係止爪５４、５５が凹部６４、６５に臨み、嵌着爪６０が挿入窓６１の下端に臨むので、ケーシング１０を挿入窓６１から抜き取れば良い。
【００５３】
上述のようにして、図１に示すようなスペース４に支柱７を取付けた後、正面側から装置本体６を組付け又は取外すことが可能になる。
【００５４】
（他の実施形態）
本発明の格納式物置装置における物置部材２３は、上述したカップホルダーの他、図８に示すような、たばこ等の小物品を載置するための棚、灰皿、その他、開閉自在な薄型のケース等々、種々の用途のものに利用することが可能である。
【図面の簡単な説明】
【００５５】
【図１】本発明に係る格納式物置装置をパチンコ等の島に装着した例を示す斜視図である。
【図２】本発明の１実施形態を示し、各部材を分解した状態で示す斜視図である。
【図３】本発明の１実施形態を示し、格納手段にスライド手段を格納し、格納手段の蓋板をケーシングから開いた状態を示す斜視図である。
【図４】本発明の１実施形態を示し、格納手段からスライド手段を引出し、格納手段の蓋板を破断した状態を示す斜視図である。
【図５】本発明の１実施形態の作用を示し、スライド手段を格納位置に移動した状態を示す断面図である。
【図６】本発明の１実施形態の作用を示し、スライド手段を引出し位置に移動した状態を示す断面図である。
【図７】装置本体と支柱の組付け構造の１例を示しており、（Ａ）はケーシングの底壁を背面側から視認した状態の装置本体を示す斜視図、（Ｂ）は反対側から視認した装置本体と支柱を対面させた状態で示す斜視図である
【図８】物置部材の別の例を示す斜視図である
【符号の説明】
【００５６】
１    格納式物置装置
４    スペース
６    装置本体
７    支柱
７ｃ  正面壁
８    スライド手段
９    格納手段
１０    ケーシング
１２    蓋板
１３    フランジ板
１６    窓孔
１７    縦板部
２０    閉止壁
２３    物置部材
２４    受皿
２５    保持リング
２７    枢結片
２８    ブラケット
２９    支持片
３０    当接リブ
３１    受片
３２    従動補助片
３３    従動部
３４    枢結片
３５    ブラケット
３６    受台
３８    制御機構
３９    作動アーム
４０    駆動レール
４１    支軸
４２    作動片
４３    駆動突起
４９    保持部
５０    駆動部
５１、５２  情報表示部
５４、５５  係止爪
５９    スリット
６０    嵌着片
６１    挿入窓
６２、６３  係止縁
６４、６５  凹部
６６    スリット
６７    嵌着部
【図１】
0004614462.tif 000002
【図２】
0004614462.tif 000003
【図３】
0004614462.tif 000004
【図４】
0004614462.tif 000005
【図５】
0004614462.tif 000006
【図６】
0004614462.tif 000007
【図７】
0004614462.tif 000008
【図８】
0004614462.tif 000009